(57)【要約】【課題】  空間を仕切るために利用されるドアの収納スペースを必要とすることなく、利用用途に応じてドア固定位置を変更することで空間の利用方法を変更できる手段を提供することを目的とする。【解決手段】  玄関からリビングルームまでの直進通路と、直進通路の両側に用途の異なるスペースを配置してなるマンション居住空間において、直進通路に沿って配設した一側のスペースに一側のスペース用ドアを配し、一側のスペース用ドアの幅員は直進通路一側端縁を枢軸とした開閉可能な略幅員とし、更には直進通路に沿って配設した他側のスペースに他側のスペース用ドアを配し、他側のスペース用ドアの幅員は直進通路一側端縁を枢軸とした開閉可能な略幅員としたことを特徴とするマンションの空間拡大構造。【選択図】図１
2018193715.tif 000002
【特許請求の範囲】
【請求項１】
玄関からリビングルームまでの直進通路と、
直進通路の両側に用途の異なるスペースを配置してなるマンション居住空間において、
直進通路に沿って配設した一側のスペースに一側のスペース用ドアを配し、
一側のスペース用ドアの幅員は直進通路一側端縁を枢軸とした開閉可能な略幅員とすることにより直進通路に沿って配設した一側のスペースの使用時には一側のスペース用ドアの枢軸を中心として略直角に開放し、直進通路を一側のスペース用ドアで遮断可能に構成することにより一側のスペース用ドアの開放により遮断した直進通路空間を一側のスペースの伸延空間とし、
更には直進通路に沿って配設した他側のスペースに他側のスペース用ドアを配し、
他側のスペース用ドアの幅員は直進通路一側端縁を枢軸とした開閉可能な略幅員とすることにより直進通路に沿って配設した他側のスペースの使用時には他側のスペース用ドアの枢軸を中心として略直角に開放し、直進通路を他側のスペース用ドアで遮断可能に構成することにより他側のスペース用ドアの開放により遮断した直進通路空間を他側のスペースの伸延空間としたことを特徴とするマンションの空間拡大構造。
【請求項２】
前記一側のスペース用ドアを前記直進通路に沿って配設したトイレルームのトイレドアとしたことを特徴とする請求項１に記載のマンションの空間拡大構造。
【請求項３】
前記他側のスペース用ドアを前記直進通路に面した脱衣場の脱衣場ドアとしたことを特徴とする請求項１及び請求項２に記載のマンションの空間拡大構造。
【請求項４】
開放時の前記他側のスペース用ドアを直進通路の奥に配設したリビングルームの入口ドアと兼用としたことを特徴とする請求項１から請求項３のいづれか１項に記載のマンションの空間拡大構造。
【発明の詳細な説明】
【技術分野】
【０００１】
本発明は、マンション居住空間においてトイレ及び脱衣場の空間を拡大するための構造に関する。
【背景技術】
【０００２】
単身者世帯の世帯数増加と共に専有面積の狭い住宅が増加してきている。そもそも、単身者世帯用の住宅は３０ｍ２以下の住宅が多く、東京都内の物件では２５ｍ２以下の物件も多いため、リラックスするのに十分な居住スペースを確保することが困難であると言われている。この現状を打開する方法としてキッチンスペースを削減して必要面積を創出する方法が各物件で採用されており、その一例として、１Ｒのようにキッチンをリビングルームに含む方法や、１Ｋのように廊下部分に省スペース化したキッチンを設け、創出されたスペースをリビングルームに充てる方法が採用されている。
【０００３】
また、上記以外にも狭い空間を広い空間として活用する方法として扉を利用した空間の可変構造について下記の特許文献にて開示されている。例えば、特許文献１では、狭い住宅でも間仕切りを効率よく配置することで空間の利用効率が向上し、且つ手間の掛からない住宅の間取り変更構造について開示している。
【０００４】
さらに、下記特許文献２では高齢者施設等の居室に設置されるトイレ空間では、手摺、アームレス等の介護機器が取り付けられるため、居室内でのトイレ室の占有率が大きくなりトイレ室以外の居室スペースが狭くなるといった問題を含んでいる。その解消手段としてトイレ室の開口部に、外開き戸を設け、該外開き戸を開けたときに形成される間隙部を出入り口とし、この出入り口にさらに折り畳み戸を開閉可能に設けることでトイレ空間の利用時はトイレ空間を拡張して利用することができ、トイレ空間の非利用時はトイレ空間を可能な限り小さくして居室空間を広く利用できる方法について開示している。
【先行技術文献】
【特許文献】
【０００５】
【特許文献１】特開２００８−０８１９７５号公報
【特許文献２】特開２００４−１１６２３３号公報
【発明の開示】
【発明が解決しようとする課題】
【０００６】
このようにドアを利用して各空間を利用用途に応じて区切る方法は特許文献１や特許文献２に開示されている。しかし、何れの文献も空間の仕切りドアを利用しない場合は別途収納スペースを利用して外部から見えないようにすることで美観を損なわないようにしていた。そのため、仕切りドアを利用して空間利用の多変化を実現しているにもかかわらず収納スペースという不必要な空間を提供しなければならず、狭空間のスペースの有効利用が実現できているとは言えなかった。
【０００７】
そこで、本発明では上記問題に鑑みて、空間を仕切るために利用されるドアを収納スペースを必要とすることなく、利用用途に応じてドア固定位置を変更することで空間の利用方法を変更できる手段を提供することを目的とする。
【課題を解決するための手段】
【０００８】
本発明の空間拡大構造は、玄関からリビングルームまでの直進通路と、直進通路の両側に用途の異なるスペースを配置してなるマンション居住空間において、直進通路に沿って配設した一側のスペースに一側のスペース用ドアを配し、一側のスペース用ドアの幅員は直進通路一側端縁を枢軸とした開閉可能な略幅員とすることにより直進通路に沿って配設した一側のスペースの使用時には一側のスペース用ドアの枢軸を中心として略直角に開放し、直進通路を一側のスペース用ドアで遮断可能に構成することにより一側のスペース用ドアの開放により遮断した直進通路空間を一側のスペースの伸延空間とし、更には直進通路に沿って配設した他側のスペースに他側のスペース用ドアを配し、他側のスペース用ドアの幅員は直進通路一側端縁を枢軸とした開閉可能な略幅員とすることにより直進通路に沿って配設した他側のスペースの使用時には他側のスペース用ドアの枢軸を中心として略直角に開放し、直進通路を他側のスペース用ドアで遮断可能に構成することにより他側のスペース用ドアの開放により遮断した直進通路空間を他側のスペースの伸延空間としたことを特徴とするマンションの空間拡大構造である。
【０００９】
また、本発明の選択的な態様の１つにおいて、一側のスペース用ドアを直進通路に面したトイレルームのトイレドアとしたことを特徴とするマンションの空間拡大構造である。
【００１０】
また、本発明の選択的な態様の１つにおいて、他側のスペース用ドアを直進通路に面した脱衣場の脱衣場ドアとしたことを特徴とするマンションの空間拡大構造である。
【００１１】
また、本発明の選択的な態様の１つにおいて、開放時の他側のスペース用ドアを直進通路の奥に配設したリビングルームの入口ドアと兼用としたことを特徴とするマンションの空間拡大構造である。
【発明の効果】
【００１２】
請求項１の発明によれば、本発明の空間拡大構造は、玄関からリビングルームまでの直進通路と、直進通路の両側に用途の異なるスペースを配置してなるマンション居住空間において、直進通路に沿って配設した一側のスペースに一側のスペース用ドアを配し、一側のスペース用ドアの幅員は直進通路一側端縁を枢軸とした開閉可能な略幅員とすることにより直進通路に沿って配設した一側のスペースの使用時には一側のスペース用ドアの枢軸を中心として略直角に開放し、直進通路を一側のスペース用ドアで遮断可能に構成することにより一側のスペース用ドアの開放により遮断した直進通路空間を一側のスペースの伸延空間とし、更には直進通路に沿って配設した他側のスペースに他側のスペース用ドアを配し、他側のスペース用ドアの幅員は直進通路一側端縁を枢軸とした開閉可能な略幅員とすることにより直進通路に沿って配設した他側のスペースの使用時には他側のスペース用ドアの枢軸を中心として略直角に開放し、直進通路を他側のスペース用ドアで遮断可能に構成することにより他側のスペース用ドアの開放により遮断した直進通路空間を他側のスペースの伸延空間としたことにより、一側のスペースを利用する場合は一側のスペース用ドアを直進通路を遮断するように固定して、直進通路に設けた一側のスペースと直進通路とを連通することで一側のスペースを拡張して利用することができる。また、一側のスペースを利用しない場合は、一側のスペース用ドアを直進通路に対して遮断する方向に固定することで玄関からの冷気を遮断することができる。さらに、一側のスペース用ドアを直進通路と直進となる向きに固定することで玄関からの通気を良くすることができる。このように、一側のスペース用ドアの固定位置を変更することで温度調節するための選択性を有し利用者が適宜希望の形態とすることができる。
また、他側のスペースを利用する場合は一側のスペースを利用する場合と同様に他側のスペース用ドアを直進通路に対して遮断する方向で固定することで他側のスペースの伸延空間として直進通路を利用することができる。また、他側のスペースを利用しない場合においても、他側のスペース用ドアを直進通路に対して遮断する方向に固定することで玄関からの冷気を遮断することができる。
【００１３】
請求項２の発明によれば、一側のスペース用ドアを直進通路に面したトイレルームのトイレドアとしたことにより、トイレルームの未使用時には該トイレドアを直進通路に対して直進方向に固定することで、トイレルームを可及的狭空間とすることができる。さらに、トイレルームの使用時には、直進通路に対して該トイレドアを遮断する方向に固定することで、直進通路空間を脱衣場の伸延空間として利用することができる。
【００１４】
請求項３の発明によれば、他側のスペース用ドアを直進通路に面した脱衣場の脱衣場ドアとしたことにより、脱衣場の未使用時には脱衣場ドアを直進通路に対して直進方向に固定することで、脱衣場を可及的狭空間とすることができる。また、脱衣場を利用する際には脱衣場ドアを直進通路に対して遮断する方向に固定することで、直進通路空間を脱衣場の伸延空間として利用することができる。
【００１５】
請求項４の発明によれば、開放時の他側のスペース用ドアを直進通路の奥に配設したリビングルームの入口ドアと兼用としたことにより、リビングルームへの入口ドアを別途設ける必要がなくなる。さらに、他側のスペース用ドアは、直進通路に沿って配設した他側スペースを確保する際にリビングルームの入口を閉塞する役割だけでなく、リビングルーム内の冷暖房時にも他側のスペース用ドアを利用してリビングルームに閉塞空間を形成し調節した温度が変動することを可及的に低減している。さらに、通常の１Ｒや１Ｋのマンションでは、玄関からリビングルームへと進入する道中にはスペースの関係上、リビングルームを閉塞するドアしか開閉可能な扉は存在しない。しかし、本発明では他側のスペース用ドアをリビングルームのドアとして兼用しているため、該他側のスペース用ドアと一側のスペース用ドアを直進通路に対して遮断する方向で固定することで、両方のドアの間に形成された閉塞空間を玄関からの通気を妨げる断熱空間としてリビングルーム内の温度変化が生じにくい効果を有している。
【図面の簡単な説明】
【００１６】
【図１】本発明の実施形態にかかる住宅の間取り変更構造の平面図である。
【図２】本発明の実施形態にかかる住宅のレイアウト変更を示した平面図であり、（ａ）はトイレルーム、及び脱衣場を閉塞する状態にトイレドア、脱衣場ドアを配置した場合の拡大平面図であり（ｂ）はトイレルームを開放する状態にトイレドアを配置した場合の拡大平面図である。また、（ｃ）は脱衣場を開放する状態に脱衣場ドアを配置した場合の拡大平面図であり、（ｄ）はトイレルームと脱衣場を開放する状態にトイレドアと脱衣場ドアを配置した場合の拡大平面図である。
【発明を実施するための最良の形態】
【００１７】
本発明は、玄関からリビングルームまでの直進通路と、直進通路の両側に用途の異なるスペースを配置してなるマンション居住空間において、直進通路に沿って配設した一側のスペースに一側のスペース用ドアを配し、一側のスペース用ドアの幅員は直進通路一側端縁を枢軸とした開閉可能な略幅員とすることにより直進通路に沿って配設した一側のスペースの使用時には一側のスペース用ドアの枢軸を中心として略直角に開放し、直進通路を一側のスペース用ドアで遮断可能に構成することにより一側のスペース用ドアの開放により遮断した直進通路空間を一側のスペースの伸延空間とし、更には直進通路に沿って配設した他側のスペースに他側のスペース用ドアを配し、他側のスペース用ドアの幅員は直進通路一側端縁を枢軸とした開閉可能な略幅員とすることにより直進通路に沿って配設した他側のスペースの使用時には他側のスペース用ドアの枢軸を中心として略直角に開放し、直進通路を他側のスペース用ドアで遮断可能に構成することにより他側のスペース用ドアの開放により遮断した直進通路空間を他側のスペースの伸延空間としたことを特徴とする。
また、前記一側のスペース用ドアを前記直進通路に面したトイレルームのトイレドアとしたことを特徴とする。
また、前記他側のスペース用ドアを前記直進通路に面した脱衣場の脱衣場ドアとしたことを特徴とする請求項１及び請求項２に記載のマンションの空間拡大構造。
また、開放時の前記他側のスペース用ドアを直進通路の奥に配設したリビングルームの入口ドアと兼用としたことを特徴とする請求項１から請求項３のいづれか１項に記載のマンションの空間拡大構造。
【００１８】
以下、本発明の実施形態について図面に基づいて詳しく説明する。図１は本発明の実施形態にかかる住宅の間取り変更構造の平面図である。
【００１９】
居住空間１００は、図１に示しているように平面視略矩形であり、本実施形態では下端部の略中央に配設された玄関１１からリビングルーム５０までの間に直線状の直進通路１０を有し、該直進通路１０に沿った一側方に一側のスペースとしてのトイレルーム３０及び調理スペース６０及び洗濯機載置場７０を有し、さらに、該直進通路１０に沿った他側方にバスルーム８０及び他側のスペースとしての脱衣場４０を有している。
【００２０】
従来、マンション等のトイレルーム３０は部屋全体の面積を可及的に広く取るために可及的に狭空間とされている。例えば、便座式のトイレを配置したトイレルーム３０では、一側のスペース用ドアとしてのトイレドア２０の方向に頭を向けて着座して用を足すような細長手の空間が形成されている。従って、かかるトイレルーム３０で用を足そうとした場合、着座した使用者は頭を下げた前かがみ姿勢となり、頭部がトイレドア２０に当接して充分に用が足せない状態となり使用に不便を感じるトイレルーム３０の構成となっていた。
【００２１】
本発明のトイレルーム３０は、かかる不備を解消するための一手段として考案されたものであり、かかる着座使用時に使用者が前かがみになっても、トイレドア２０は開放されて、その開放先方には、直進通路１０の一部となる玄関１１の三和土空間１２が形成されて、この玄関１１の三和土空間１２をトイレルーム３０の伸延空間として通常のトイレルーム３０の約２倍の縦長空間に変換することができる。また、トイレドア２０は閉塞することにより玄関１１からリビングルーム５０への進行に何ら支障とならない。
なお、トイレルーム３０の使用に伴う換気などは伸延空間に設置した換気装置により脱気して直進通路１０としての使用に何ら支障とならないように構成している。すなわち、トイレルーム３０を広く伸延空間として使用する場合は、トイレドア２０を開放状態とし、かかる開放時のトイレドア２０は直進通路１０を閉塞してトイレルーム３０と一体の伸延空間によりトイレ使用に便利な広域空間とすることができ、他方トイレ不使用時はトイレドア２０を閉塞することで直進通路１０は通常の廊下としての使用に何ら不都合を生起しないこととした。
【００２２】
また、トイレルーム３０の隣接方向には、調理スペース６０と洗濯機載置場７０とが配設されており、トイレルーム３０に面する直進通路１０は玄関１１の三和土空間１２（靴を脱着する空間）を備えている。
【００２３】
脱衣場４０は、直進通路１０側に向かった平面視略矩形形状であり、直進通路１０側より進入した際の正面端部に洗面台４６が配設されており、脱衣場４０と直進通路１０との境界に開口部４５と他側のスペース用ドアとしての脱衣場ドア４１を備えた構成としている。
【００２４】
マンション等の脱衣場４０は部屋全体の面積を可及的に広く取る為に可及的に狭空間とされている。
例えば、洗面所と一体となった脱衣場４０では、脱衣する際の立位姿勢においては脱衣場ドア４１と当接することはないが、靴下や下着などの肌着を脱衣する際には立位状態にて前屈姿勢となるため、脱衣場ドア４１と頭部、または臀部が当接する虞があり脱衣場４０での着脱に不便を感じる構成となっている。
【００２５】
本発明の脱衣場４０は、かかる不備を解消するための一手段として考案されたものであり、かかる立位状態にて前屈姿勢となっても、脱衣場ドア４１が開放されて、その開放先方には、直進通路１０の一部となる方形空間１３が形成されており、この方形空間１３を脱衣場４０の伸延空間として通常の脱衣場４０の約３倍の略Ｌ字空間に変換することができる。他方、脱衣場ドア４１を閉塞することにより玄関１１からリビングルーム５０への進行に何ら支障を来たすことがない。
なお、脱衣場４０の使用に伴う換気などは脱衣場４０の伸延空間である方形空間１３の天井に配設された換気装置により脱気して直進通路１０としての使用に何ら支障とならないように構成している。すなわち、脱衣場４０を広く伸延空間として使用する場合は、脱衣場ドア４１を開放状態として、かかる開放時の脱衣場ドア４１は直進通路１０を閉塞して脱衣場４０と一体の伸延空間により脱衣場４０の使用に何ら支障を来たさない広域空間とすることができる。他方、脱衣場４０の不使用時は脱衣場ドア４１を閉塞することで直進通路１０は通常の廊下としての使用に何ら不都合を生起しないこととした。
【００２６】
脱衣場４０の隣接方向には、バスルーム８０が配設されており、バスルーム８０は平面視略矩形であり、バスタブ８１と洗い場８２と、隣接する脱衣場４０との境界部分に開口部８３とバスドア８４を備えている。
【００２７】
直進通路１０は、終端がリビングルーム５０と連通しており、直進通路１０の幅員をトイレルーム３０からバスルーム８０に至る全幅の幅員として、玄関１１の三和土空間１２からリビングルーム５０までの長さを適宜有した略長方形のフローリングルームとしている。
【００２８】
トイレルーム３０は、平面視略長方形状であり、直進通路１０の一端部に位置する玄関１１の三和土空間１２に隣接している。トイレルーム３０と三和土空間１２の境界部分には略矩形の開口部３１が設けられており、該開口部３１には略同一形状のトイレドア２０を配設している。
【００２９】
トイレドア２０は、短手方向の一側方にトイレドア２０を固定するための枢軸２４を備え、他側方に回動自在の自由端２５を備えている。該自由端２５はトイレルーム３０の未使用時にトイレドア２０を直進通路１０の直進方向に固定するための係止部２１を備えている。また、自由端２５はトイレルーム３０の使用時にトイレドア２０を直進通路１０の遮断方向に固定するための係止部２２を備えている。また、トイレドア２０の自由端２５はトイレルーム３０に隣接する洗濯機載置場７０の前面を塞ぐ回動端部２３まで回動できる。すなわち、トイレルーム３０の開口部３１を出発点として玄関１１の三和土空間１２に向けて回動を開始して最終的には回動端部２３まで枢軸２４を基点として１８０度回転できる。
【００３０】
また、係止部２１にトイレドア２０を固定した場合は、トイレドア２０が玄関１１を含む直進通路１０を形成する壁面となり、直進通路１０を使用する際に何ら不都合を生起することなく通常の廊下として使用できる。
【００３１】
また、係止部２２にトイレドア２０を固定した場合は、玄関１１の三和土空間１２とトイレルーム３０とが連通した閉空間を形成し、トイレルーム３０の伸延空間として玄関１１の三和土空間１２が利用できる。
【００３２】
バスルーム８０は、平面視略矩形であり同じく平面視略矩形のバスタブ８１と洗い場８２と、隣接する脱衣場４０との境界に略矩形の開口部８３を有し、該開口部８３に開口部８３と略同一形状のバスドア８４を形成することで隣接する脱衣場４０への出入りが可能となっている。
【００３３】
脱衣場４０は、平面視略矩形の空間であり一端部に洗面台４６を配設して、他端部に隣接する直進通路１０との境界に略矩形の開口部４５を有しており、該開口部４５に略同一形状の脱衣場ドア４１を備えている。
【００３４】
脱衣場ドア４１は、短手方向の一側方に固定するための枢軸４４を備え、他側方に回動自在な自由端４７を備えている。該自由端４７は脱衣場４０の未使用時に脱衣場ドア４１を直進通路１０の直進方向に固定するための係止部４２に固定される。また、該自由端４７は脱衣場４０の使用時に脱衣場ドア４１を直進通路１０の遮断方向に固定するための係止部４３に固定される。
【００３５】
すなわち、係止部４２に脱衣場ドア４１を固定した場合は、脱衣場ドア４１が直進通路１０を形成する壁面の一部となり玄関１１からリビングルーム５０までの通路の直進性を確保できる。
【００３６】
また、係止部４３に脱衣場ドア４１を固定した場合は、直進通路１０を遮断する方向に固定されるため、脱衣場４０と直進通路１０とが連通して閉空間を形成することで、脱衣場４０の伸延空間として直進通路１０が利用できる。
【００３７】
かかるように構成されたトイレドア２０と脱衣場ドア４１により直進通路１０を区画することで各ドア２０、４１の間には方形空間１３が形成される。この各ドア２０，４１間に形成された方形空間１３は脱衣場４０の空間と連通した多目的空間（例えば、洗濯作業、調理作業等の作業空間）として利用できる。
【００３８】
また、各ドア２０，４１の間に方形空間１３を形成する場合は、該方形空間１３が脱衣場４０と連通した閉空間を形成していることからバスルーム８０からの湿気を解放するための脱気空間として利用されてもよく、方形空間１３の天井面に脱気装置（図示せず）を備えていてもよい。
【００３９】
また、トイレドア２０を係止部２２に固定して形成されたトイレルーム３０と玄関１１の三和土空間１２の連通した閉空間には、トイレルーム３０の天面、または側面に脱臭のための脱気用換気装置（図示せず）が備え付けられている。
【００４０】
上記した、トイレルーム３０の伸延空間と脱衣場４０の伸延空間との併用に伴う直進通路１０の多用途な利用形態としては、トイレドア２０と脱衣場ドア４１の多様な変形操作により種々の空間形成が可能となり、空間の利用目的や利用空間の各種の形態に応じて多種のドア操作を考えることができる。
【００４１】
例えば、図２（ａ）〜（ｄ）においては、各ドアの多様な操作変形を組み合わせることにより上記の有効なスペース利用を考慮することができる。
【００４２】
また、図中、三和土空間１２の一側縁部には細長い床部が直進通路１０に連なって設けられている。また、直進通路１０、リビングルーム５０、トイレルーム３０、脱衣場４０の床部は全てフローリングとしている。
【００４３】
かかるように構成することで、空間を区切るために利用されるドアの収納スペースを必要とすることなく、利用用途に応じて各ドアの固定位置を変更することで、同一の空間でありながら異なる利用方法が実現できる手段を提供することができる。
【００４４】
最後に、上述した各実施の形態の説明は本発明の一例であり、本発明は上述の実施の形態に限定されることはない。このため、上述した各実施の形態以外であっても、本発明に係る技術的思想を逸脱しない範囲であれば、設計等に応じて種々の変更が可能であることは勿論である。
【符号の説明】
【００４５】
１００  居住空間
１０  直進通路
１１  玄関
１２  三和土空間
１３  方形空間
２０  トイレドア
２１  係止部
２２  係止部
２３  回動端部
２４  枢軸
２５  自由端
３０  トイレルーム
３１  開口部
４０  脱衣場
４１  脱衣場ドア
４２  係止部
４３  係止部
４４  枢軸
４５  開口部
４６  洗面台
４７  自由端
５０  リビングルーム
６０  調理スペース
７０  洗濯機載置場
８０  バスルーム
８１  バスタブ
８２  洗い場
８３  開口部
８４  バスドア
【図１】
2018193715.tif 000003
【図２】
2018193715.tif 000004